(57)【要約】【課題】  送信が制限されたコンテンツ情報の送信を行う場合に、送信許可条件に応じてコンテンツ情報の送信を制限する機能を有する情報送信装置を提供する。【解決手段】  送信が制限されているコンテンツ情報を他端末３０に送信する場合に、送信許可条件判定部１０３は他端末３０の識別情報および本装置１０の現在日時および位置情報が送信許可条件によって許可されているか否かを判定する。前記送信許可条件を判定した結果、前記コンテンツ情報の送信が許可されていると判定した場合にのみ他端末３０へ前記コンテンツ情報を送信する。【選択図】    図１
2013008192.tif 000002
【特許請求の範囲】
【請求項１】
自情報送信装置が保存しているコンテンツ情報の内、送信が制限されているコンテンツ情報を所定の送信先に送信する情報送信装置であって、
前記送信が制限されているコンテンツ情報を送信が制限されていないコンテンツ情報と識別して保存する送信制限情報保存手段と、コンテンツ情報を送信する際に送信先の端末種別または端末ＩＤを識別する識別情報の送信を送信先に要求する識別情報要求手段と、前記送信先から前記識別情報を受信する識別情報受信手段と、前記受信した識別情報を分析して前記送信先の端末種別または端末ＩＤを判別する送信先端末判別手段と、端末種別または端末ＩＤまたはコンテンツ情報と対応付けて送信を許可する送信先に係る許可条件を登録する送信先条件登録手段と、前記送信が制限されているコンテンツ情報を送信する送信制限情報送信手段と、を有し、
前記送信制限情報送信手段は、送信先に送信が制限されているコンテンツ情報を送信する場合に、前記送信先条件登録手段を参照して、前記送信先端末判別手段が判別した前記送信先の端末種別または端末ＩＤが当該コンテンツ情報の送信が許可された送信先として登録されているか否かを判定し、登録されていると判定したならば前記送信先へ前記コンテンツ情報を送信し、登録されていないと判定したならば前記送信先へ前記コンテンツ情報を送信しないことを特徴とする送信制限機能を有する情報送信装置。
【請求項２】
自情報送信装置が保存しているコンテンツ情報の内、送信が制限されているコンテンツ情報を所定の送信先に送信する情報送信装置であって、
前記送信が制限されているコンテンツ情報を送信が制限されていないコンテンツ情報と識別して保存する送信制限情報保存手段と、自情報通信装置が存在している場所を検知する場所検知手段と、前記送信が制限されているコンテンツ情報の送信を許可する場所に係る許可条件を登録する場所条件登録手段と、前記送信が制限されている情報を送信する送信制限情報送信手段と、を有し、
前記送信制限情報送信手段は、送信先に前記送信が制限されているコンテンツ情報を送信する場合に、前記場所条件登録手段を参照して、前記場所検知手段が検知している自情報通信装置の存在場所が当該コンテンツ情報の送信が許可された場所か否かを判定し、許可された場所であると判定したならば前記送信先へ前記コンテンツ情報を送信し、許可されていない場所であると判定したならば前記送信先へ前記コンテンツ情報を送信しないことを特徴とする送信制限機能を有する情報送信装置。
【請求項３】
請求項１または２に記載の情報送信装置であって、
前記送信先条件登録手段または前記場所条件登録手段は前記送信が制限されているコンテンツ情報の送信を許可する日時に係る許可条件をさらに登録し、
前記送信制限情報送信手段は、送信先に前記送信が制限されているコンテンツ情報を送信する場合に、前記送信先条件登録手段または前記場所条件登録手段を参照して、現在の日時が送信を許可された日時であって、送信先が許可された送信先として前記送信先条件登録手段に登録されているならば、または自情報装置の存在場所が送信を許可された場所であるならば、前記送信先へ前記コンテンツ情報を送信することを特徴とする送信制限機能を有する情報送信装置。
【請求項４】
請求項２に記載の情報通信装置からコンテンツ情報を受信する情報受信装置であって、
前記送信が制限されているコンテンツ情報を一時的に保存する情報一時保存手段と、自情報通信装置が存在している場所を検知する場所検知手段と、を有し、
前記送信が制限されているコンテンツ情報を受信した場合に、前記受信したコンテンツを前記情報一時保存手段に保存し、自情報通信装置が現在存在している場所が前記送信が制限されているコンテンツ情報を受信した場所から予め定められた距離を超えた場合に、前記受信した送信が制限されているコンテンツ情報を自動的に削除することを特徴とする情報受信装置。
【発明の詳細な説明】
【技術分野】
【０００１】
本発明は、送信が制限されているコンテンツ情報を所定の送信先に送信する情報送信装置および情報受信装置に関する。
【背景技術】
【０００２】
コンテンツ情報の送信を行う際に、誤送信等によって機密情報が漏洩してしまい、大きな被害をもたらす事例が多々発生している。そのような事態を防ぐために、例えば特許文献１に開示されている技術では、情報を送信する通信装置において、ユーザ操作により入力された宛先が送信禁止リストと合致した場合に、送信禁止宛先とみなして通信動作を取り消す技術が記載されている。
【先行技術文献】
【特許文献】
【０００３】
【特許文献１】特開２００８−５３８８２号公報
【発明の概要】
【発明が解決しようとする課題】
【０００４】
しかしながら、特許文献１の技術では送信禁止リストに登録されていない宛先には送信してしまうという難点があった。そこで、本発明の目的は、送信が制限されたコンテンツ情報の送信を行う場合に、送信許可条件に応じてコンテンツ情報の送信を制限する機能を有する情報送信装置を提供することにある。
【課題を解決するための手段】
【０００５】
上記の課題を解決するために、第一の発明は自情報送信装置が保存しているコンテンツ情報の内、送信が制限されているコンテンツ情報を所定の送信先に送信する情報送信装置であって、前記送信が制限されているコンテンツ情報を送信が制限されていないコンテンツ情報と識別して保存する送信制限情報保存手段と、コンテンツ情報を送信する際に送信先の端末種別または端末ＩＤを識別する識別情報の送信を送信先に要求する識別情報要求手段と、前記送信先から前記識別情報を受信する識別情報受信手段と、前記受信した識別情報を分析して前記送信先の端末種別または端末ＩＤを判別する送信先端末判別手段と、端末種別または端末ＩＤまたはコンテンツ情報と対応付けて送信を許可する送信先に係る許可条件を登録する送信先条件登録手段と、前記送信が制限されているコンテンツ情報を送信する送信制限情報送信手段と、を有し、前記送信制限情報送信手段は、送信先に送信が制限されているコンテンツ情報を送信する場合に、前記送信先条件登録手段を参照して、前記送信先端末判別手段が判別した前記送信先の端末種別または端末ＩＤが当該コンテンツ情報の送信が許可された送信先として登録されているか否かを判定し、登録されていると判定したならば前記送信先へ前記コンテンツ情報を送信し、登録されていないと判定したならば前記送信先へ前記コンテンツ情報を送信しないことを特徴とする。
【０００６】
また、第二の発明は自情報送信装置が保存しているコンテンツ情報の内、送信が制限されているコンテンツ情報を所定の送信先に送信する情報送信装置であって、前記送信が制限されているコンテンツ情報を送信が制限されていないコンテンツ情報と識別して保存する送信制限情報保存手段と、自情報通信装置が存在している場所を検知する場所検知手段と、前記送信が制限されているコンテンツ情報の送信を許可する場所に係る許可条件を登録する場所条件登録手段と、前記送信が制限されている情報を送信する送信制限情報送信手段と、を有し、前記送信制限情報送信手段は、送信先に前記送信が制限されているコンテンツ情報を送信する場合に、前記場所条件登録手段を参照して、前記場所検知手段が検知している自情報通信装置の存在場所が当該コンテンツ情報の送信が許可された場所か否かを判定し、許可された場所であると判定したならば前記送信先へ前記コンテンツ情報を送信し、許可されていない場所であると判定したならば前記送信先へ前記コンテンツ情報を送信しないことを特徴とする。
【発明の効果】
【０００７】
本発明によれば、送信が制限されたコンテンツ情報の送信を行う場合に、送信許可条件に応じてコンテンツ情報の送信を制限する機能を有する情報送信装置を提供し、誤送信による情報漏洩を未然に防ぐことが出来る。
【図面の簡単な説明】
【０００８】
【図１】本発明の情報通信装置を含む機能ブロック図。
【図２】本発明の情報通信装置の送信時および受信時における送信許可条件テーブル。
【図３】本発明の情報通信装置の送信時および受信時における動作のフローチャート図。
【発明を実施するための形態】
【実施例】
【０００９】
以下に、本発明の実施の形態について、図面を用いて説明する。
図１は本発明の情報送信装置及び情報受信装置を含む機能ブロック図である。本発明の情報送信装置及び情報受信装置１０（以後本装置１０と称することもある）は、ネットワーク２０を介して他端末３０と通信を行う。本装置１０は制御部１００、コンテンツ情報記憶部１０１、送信許可条件登録部１０２、送信許可条件判定部１０３、タイマ部１０４、場所検知部１０５、入力部１０６、表示部１０７、削除処理部１０８、送受信処理部１０９で構成される。
【００１０】
制御部１００は、装置全体の操作に係る制御を行う。
【００１１】
コンテンツ情報記憶部１０１は、本装置１０がコンテンツ情報の送受信を行う場合に、コンテンツ情報を一時的に記憶する。なお、コンテンツ情報記憶部１０１で一時的に保存するコンテンツ情報は、ネットワーク２０を介してダウンロードしてもよいし、コンテンツ情報を送信する場合には入力部１０６から入力してもよい。
【００１２】
送信許可条件登録部１０２は、コンテンツ情報を送信するための送信許可条件を入力部１０６を利用して使用者が入力し、作成した送信許可条件を送信許可条件テーブルに登録し、送信許可条件判定部１０３に転送する。尚、コンテンツ情報を送信する際に、送信許可条件テーブルから呼び出しを行い、既に登録してある送信許可条件と同一条件で送信することを可能としてもよい。
また、本装置１０がコンテンツ情報を受信する場合に、前記受信したコンテンツ情報に含まれる送信許可条件を抽出する。なお、本実施例における送信許可条件とは、後述する送信先端末の識別情報と、本装置の位置情報と日時情報の事である。
【００１３】
送信許可条件判定部１０３は、制御部１００を介してコンテンツ情報記憶部１０１に記憶されているコンテンツ情報を呼出し、送信許可条件登録部１０２から送信許可条件が渡されたか否かを判定し、さらに本装置１０が送信許可条件によって送信を許可されているか否かを判定し、送受信処理部１０９または削除処理部１０８に転送する。
【００１４】
タイマ部１０４は、現在日時を取得して送信許可条件判定部１０３へ渡す。
【００１５】
場所検知部１０５は、例えばＧＰＳ受信機能と地図データを内蔵していて、適時、ＧＰＳデータを受信して本装置１０が存在している位置情報を検出し、送信許可条件判定部１０３に渡す。
ここで、場所検知部１０５が有する位置情報検知方法は、ＧＰＳ受信機能に限定されない。例えば、本装置１０が帰属している無線アクセスポイントのＩＤを取得し、前記無線アクセスポイントの設置箇所に係るデータベースにより、本装置１０が存在している場所を検出するようにしてもよいし、或いはＲＦＩＣタグリーダを内蔵し、各場所の壁や床などに設置されたタグを検出することで、本装置１０が存在している場所を検出するようにしてもよい。
【００１６】
入力部１０６は、キーボードやタッチパネル、ポインティングデバイス等を具備し、本装置１０の入力に係る操作を行う。また、コンテンツ情報を送信する場合に、外部で作成したコンテンツ情報の入力を行う。
【００１７】
表示部１０７は、ＬＣＤ等を具備し、本装置１０の表示に係る動作を行う。
【００１８】
削除処理部１０８は、送信許可条件判定部１０３がコンテンツ情報の削除を要すると判定した場合、制御部１００を介してコンテンツ情報記憶部１０３に、前記受信したコンテンツ情報の削除指示を行う。
【００１９】
送受信処理部１０９は、コンテンツ情報を送信する他端末３０に対して識別情報要求を送信し、他端末３０から送信された前記識別情報を受信し制御部１００を介して送信許可条件判定部１０３に渡す。また、送信許可条件判定部１０３がコンテンツ情報の送信を許可した場合に、ネットワーク２０を介して他端末３０に前記送信を許可したコンテンツ情報の送信を行う。なお、本実施例における識別情報とは、他端末３０の端末種別や端末ＩＤ、本装置１０がコンテンツ情報を送信する送信先アドレスの事である。
【００２０】
次に、図２を用いて送信許可条件テーブルについて説明する。
送信許可条件テーブル３０００は、フィールド３０１は許可Ｎｏ、フィールド３０２は端末種別、フィールド３０３は端末ＩＤ、フィールド３０４は送信先アドレス、フィールド３０５は位置情報、フィールド３０６は送信許可日時、フィールド３０７は削除予定日時のデータが、レコード３０８ごとに格納されている。ここで、レコード３０８には予め情報が登録されているものとして説明するが、入力部１０６により入力を行ってもよい。
【００２１】
フィールド３０１は一つのコンテンツ情報ごとに付番される。フィールド３０２およびフィールド３０３、フィールド３０４にはそれぞれ端末の識別情報が登録され、他端末３０から受信した識別情報と照合する。フィールド３０５には送信可能な位置情報が登録され、場所検知部１０５から受け取った位置情報と照合する。コンテンツ情報を送信する場合は送信を許可されている日時か否かを判定し、受信した場合はコンテンツ情報の保持を許可された位置か否かを判定する。フィールド３０６、フィールド３０７はコンテンツ情報の送信を許可する日時、および削除する日時が登録され、タイマ部１０４から受け取った日時情報と照合する。コンテンツ情報を送信する場合は送信を許可されている日時か否かを判定し、受信した場合はコンテンツ情報の保持を許可された日時か否かを判定する。
【００２２】
図３は本発明の情報送信装置および情報受信装置の動作を表すフローチャート図である。
図１および図３を用いて、本装置１０におけるコンテンツ情報の送受信に係る動作を説明する。本装置１０の電源を投入することで待機状態となり、フローを開始する。尚、本フローはコンテンツ情報ごとにマルチタスクで処理を行うことが出来るものとする。
【００２３】
以下、本装置１０のコンテンツ情報送信フローについて説明する。コンテンツ情報が入力部１０６に入力された、またはネットワーク２を介してダウンロードされた場合、前記コンテンツ情報はコンテンツ情報記憶部１０１に一時的に記憶され、本装置１０はコンテンツ情報がセットされたと判定する（Ｓ２０１、ＹＥＳ）。次に、入力されたコンテンツ情報が送信許可条件を有しているか否かを判定する（Ｓ２０２）。尚、コンテンツ情報記憶部１０１に記憶されたコンテンツ情報が送信許可条件を有していない場合、ここで送信許可条件を付与してもよいし、既に送信許可条件が付与されている場合は、送信許可条件を表示部１０７に表示して、送信許可条件の変更を行ってもよい。
【００２４】
前記コンテンツ情報に送信許可条件が付与されていない場合（Ｓ２０２、ＮＯ）、本装置１０は前記コンテンツ情報を送信し（Ｓ２０８）、フローを終了する。
【００２５】
前記コンテンツ情報に送信許可条件が付与されている場合（Ｓ２０２、ＹＥＳ）、送受信処理部１０９はネットワーク２０を介して他端末３０に識別情報要求を送信する（Ｓ２０３）。次に、他端末３０から識別情報を受信したか否かを判定する（Ｓ２０４）。ここで送受信処理部１０９が他端末３０から識別情報を受信しなかった場合（Ｓ２０４、ＮＯ）、制御部１００は表示部１０７にコンテンツ情報送信不許可という旨の表示を行い（Ｓ２０９）、コンテンツ情報の送信を行わずにフローを終了する。
【００２６】
本装置１０が送信した識別情報要求に対し、送受信処理部１０９が他端末３０から識別情報を受信した場合（Ｓ２０４、ＹＥＳ）、送信許可条件判定部１０３は前記受信した識別情報と送信許可条件を照合し、送信先端末は送信許可されている端末か否かを判定する（Ｓ２０５）。送信許可されていない端末と判定した場合（Ｓ２０５、ＮＯ）、制御部１００は表示部１０７にコンテンツ情報送信不許可という旨の表示を行い（Ｓ２０９）、コンテンツ情報の送信を行わずにフローを終了する。
【００２７】
送信許可条件判定部１０３が、他端末３０は送信を許可された端末であると判定した場合（Ｓ２０５、ＹＥＳ）、送信許可条件判定部１０３は場所検知部１０５から、本装置１０の現在存在している位置情報を取得し、本装置１０が存在する場所は送信許可条件によって送信を許可された場所か否かをさらに判定する（Ｓ２０６）。送信許可されていない場所と判定した場合（Ｓ２０６、ＮＯ）、制御部１００は表示部１０７にコンテンツ情報送信不許可という旨の表示を行い（Ｓ２０９）、コンテンツ情報の送信を行わずにフローを終了する。
【００２８】
送信許可条件判定部１０３が、前記取得した位置情報は送信を許可された場所であると判定した場合（Ｓ２０６、ＹＥＳ）、送信許可条件判定部１０３は、タイマ部１０４から現在日時を取得し、現在日時は送信許可条件によって送信を許可された日時であるか否かをさらに判定する（Ｓ２０７）。送信許可されていない日時であると判定した場合（Ｓ２０７、ＮＯ）、制御部１００は表示部１０７にコンテンツ情報送信不許可という旨の表示を行い（Ｓ２０９）、コンテンツ情報の送信を行わずにフローを終了する。尚、Ｓ２０９でコンテンツ情報送信不許可という旨の表示を行うと同時に、ネットワーク２０を介してコンテンツ情報送信不許可という旨の通知を他端末３０に送出してもよい。
【００２９】
また、本実施例においては簡単化のため送信許可条件を判定する順序が決まっているが、一つ以上の条件が送信許可条件から外れてもコンテンツ情報の送信を行わないため、送信許可条件を判定する場合にはどのような順序で判定しても良いものとする。
【００３０】
送信許可条件判定部１０３が、前記取得した現在日時は送信を許可されている日時であると判定した場合（Ｓ２０７、ＹＥＳ）、コンテンツ情報を他端末３０に送信し（Ｓ２０８）、フローを終了する。
【００３１】
次に、本装置１０がコンテンツ情報の送信先をセットされた事を検知せず（Ｓ２０１、ＮＯ）、他端末３０から識別情報要求を受信した場合（Ｓ２１０、ＹＥＳ）について説明する。
【００３２】
本装置１０が他端末３０から識別情報要求を受信した場合（Ｓ２１０、ＹＥＳ）、送受信処理部１０９は識別情報を他端末３０に送信する（Ｓ２１１）。その後他端末３０から送信許可条件付きのコンテンツ情報を受信したか否かを判定し、受信しなかった場合（Ｓ２１２、ＮＯ）、フローを終了する。尚、コンテンツ情報を受信しなかった場合に、ネットワーク２０を介してコンテンツ情報受信不許可という旨の通知を他端末３０から受信してもよい。
【００３３】
他端末３０から送信許可条件付きのコンテンツ情報を受信した場合（Ｓ２１２、ＹＥＳ）、タイマ部１０４から現在日時を、場所検知部１０５から位置情報をそれぞれ確認する（Ｓ２１３）。次に送信許可条件判定部１０３は確認した位置情報と送信許可条件に含まれる位置情報を照合し、本装置１０が現在存在している位置がコンテンツ情報の保持を許可されているか否かを判定する（Ｓ２１４）。本装置１０が現在存在している位置が、送信許可条件によって許可されていないと判定した場合（Ｓ２１４、ＮＯ）、削除処理部１０８は受信したコンテンツ情報をコンテンツ情報記憶部１０１から削除し（Ｓ２１６）、フローを終了する。
【００３４】
次に本装置１０が現在存在している位置が、送信許可条件によって許可されていると判定した場合（Ｓ２１４、ＹＥＳ）、送信許可条件判定部１０３は確認した現在日時と送信許可条件に含まれる日時情報を照合し、現在日時はコンテンツ情報の保持を許可されているか否かを判定する（Ｓ２１５）。現在日時が送信許可条件によって許可されていると判定した場合（Ｓ２１５、ＹＥＳ）、再びＳ２１３に戻って現在位置と位置情報を更新し、コンテンツ情報を削除するまで繰り返す。
【００３５】
現在日時が送信許可条件によって許可されていないと判定した場合（Ｓ２１５、ＮＯ）、削除処理部１０８は受信したコンテンツ情報をコンテンツ情報記憶部１０１から削除し（Ｓ２１６）、フローを終了する。尚、Ｓ２１６にてコンテンツ情報を削除した場合に、ネットワーク２０を介してコンテンツ情報を削除した旨の通知を他端末３０に送信してもよい。
【符号の説明】
【００３６】
１０    本発明の情報送信装置および情報受信装置
２０    ネットワーク
３０    他端末
１００  制御部
１０１  コンテンツ情報記憶部
１０２  送信許可条件登録部
１０３  送信許可条件判定部
１０４  タイマ部
１０５  場所検知部
１０６  入力部
１０７  表示部
１０８  削除処理部
１０９  送受信処理部
【図１】
2013008192.tif 000003
【図２】
2013008192.tif 000004
【図３】
2013008192.tif 000005